(57)【特許請求の範囲】
【請求項１】
空気室の前面に吐出口を開設し、押圧板の周縁部に可撓性のダイヤフラムを張設することにより前記空気室の後面部に該押圧板を気密にして前後方向に移動可能なるように設け、該押圧板の背後部に相対するようにハンマー体を前後方向に進退動自在に設け、該ハンマー体を前方に付勢するバネを設け、該ハンマー体に係脱する爪車を設け、該爪車を回転駆動するモータを設け、該モータにより該爪車を回転させて該爪車を該ハンマー体に係合させることにより該ハンマー体を前記バネの弾性に抗して後方に移動させるとともに、該爪車がさらに回転し該ハンマー体との係合が外れることにより該ハンマー体が前記バネの弾性により加速されて前記押圧板に衝突し、その衝突により該押圧板が前動して前記空気室内の空気を衝撃的に加圧することにより前記吐出口から該空気が弾発的に押し出されるようにしたことを特徴とする遊技機用演出装置。
【発明の詳細な説明】
【技術分野】
【０００１】
本発明は、パチンコ機、スロットマシン等の遊技機における遊技時の演出のための装置であって、遊技者に向けて空気を衝撃的に吐出させることにより遊技者に今まで経験したことのないようなインパクトを与えられる遊技機用演出装置に関するものである。
【背景技術】
【０００２】
パチンコ機等の遊技機には、従来から特定遊技状態であることを遊技者に音や光により予告・報知し、遊技者を楽しませるための様々な演出装置が設けられている。また、音や光だけでなく、下記特許文献１、２等に示された遊技機では、送風装置を遊技機前面の操作部付近に設け、該送風装置のモータを作動させファンを回転させ、ハンドルを操作する遊技者の手に向けて送風することで特定遊技状態であることが遊技者に予告・報知されるようにしている。
【先行技術文献】
【特許文献】
【０００３】
【特許文献１】特開２００３−１１７０８５号公報
【特許文献２】特開２００５−１６０８２７号公報
【発明の概要】
【発明が解決しようとする課題】
【０００４】
ところで、従来の上記特許文献１、２等に示された送風装置は、単にファンをモータにより回転させて送風し、遊技者の手などにその風を当てるだけのものであったので、面白みがなく遊技者に対し十分なインパクトを与えることができなかった。
【０００５】
そこで本発明は、作動させることにより遊技者の肌に特有の感触を与えることができる遊技機用演出装置を提供し、その遊技性を向上させようとするものである。
【課題を解決するための手段】
【０００６】
そのために本発明に係る遊技機用演出装置は、空気室の前面に吐出口を開設し、該空気室に相対する押圧板を設け、該押圧板の周縁部はダイヤフラムを張設することにより気密にし、該押圧板の背後部にハンマー体を進退動自在に設け、該ハンマー体を前方に付勢するバネを設け、該ハンマー体に係脱する爪車を設け、該爪車をモータにより回転駆動し、該爪車に係脱することで前記ハンマー体が前記バネの弾性により加速されて前記押圧板に衝突し、その衝突により該押圧板が前動して前記空気室内の空気を衝撃的に加圧することにより前記吐出口から該空気が弾発的に押し出されるようにしたことを特徴とする。
【発明の効果】
【０００７】
本発明の演出装置によれば、非日常的な特有な感触を遊技者に与えることから遊技者をより楽しませることができる。
【図面の簡単な説明】
【０００８】
【図１】本発明に係る遊技機用演出装置の正面図。
【図２】本発明に係る遊技機用演出装置の背面図。
【図３】図１のＡ−Ａ線断面図。
【図４】図１のＢ−Ｂ線断面図。
【図５】本発明に係る遊技機用演出装置を分解し斜め前方から見た斜視図。
【図６】本発明に係る遊技機用演出装置を分解し斜め後方から見た斜視図。
【図７】本発明に係る遊技機用演出装置の空気室を分解し斜め前方から見た斜視図。
【図８】本発明に係る遊技機用演出装置の空気室を分解し斜め後方から見た斜視図。
【図９】本発明に係る遊技機用演出装置の駆動部を分解し斜め前方から見た斜視図。
【図１０】本発明に係る遊技機用演出装置の駆動部を分解し斜め後方から見た斜視図。
【図１１】図３の作動状態図。
【図１２】本発明に係る演出装置を設けたパチンコ遊技機の正面図。
【発明を実施するための形態】
【０００９】
次に本発明に係る演出装置の実施形態を図面に従い説明する。図５および図６に分解斜視図を示したように、金属製薄板状の組付基板１は中央に方形状の開口２が形成され、該開口２の内周縁に後方に折れ曲る一対の起立片３，３が形成され、該各起立片３，３に小孔３ａ，３ａを形成するとともに、該開口２の周縁部の同心円上に切込孔４ａ，４ａと透孔４ｂ，４ｂを形成し、さらに該組付基板１の周縁部寄りの同心円上に４つの貫通状の小孔５を形成し、さらに外周縁部に４つの貫通状の小孔６を同心円上に形成してなる。
【００１０】
一方、空気室１０を形成するためのプラスチック製の略円形の筺体１１は、プラスチック製で略円形に形成され、その中央部に吐出口１２が形成され、外周縁に筒状部１３が形成され、該筒状部１３の後方端縁に４つの耳片１４が拡張状に形成され、該各耳片１４の背面にボス１５、ボス孔１６を形成してなる。また、図８に示されるように、該筺体１１の内面の同心円上に４つのボス１７を形成し、該各ボスに小径小寸のガイド軸１８が固植される。
【００１１】
また、図７および図８に示したように、プラスチック製で略円形に形成された押圧板２０は、前側が開口した有底筒状の４つのガイド孔２１を同心円上に形成してなり、該押圧板２０の外周縁に可撓性のダイヤフラム２５の内周縁部２５ａを気密に接着するとともに、該ダイヤフラム２５の外周縁部２５ｂを環状縁部材２６に気密に接着してなる。該環状縁部材２６は前記筒状部１３と外径が略々同じに形成され、該環状縁部材２６を前記筒状部１３の後方端縁に合致させるとともに、前記組付基板１の小孔５に貫挿されるビス２７を該環状縁部材２６に形成された小孔２６ａに締着し、前記小孔６に貫挿されるビス２８を前記ボス孔１６に締着することにより、前記組付基板１の外周縁部に該環状縁部材２６と筺体１１とが合着され内部に空気室１０が形成される。このようにダイヤフラム２５を設けたことにより、押圧板２０は該空気室１０の後面部に気密にして前後方向に移動可能なるように配置される。なお、前記ガイド軸１８は押圧板２０に形成された前記ガイド孔２１に遊嵌され、該押圧板２０を真直に前後方向に移動可能なるようにするとともに、該筺体１１の内面と該押圧板２０との間にそれぞれコイル状の小バネ２９を圧縮状態にて介在することにより、該小バネ２９の弾性により該押圧板２０が後方に付勢されるようにしている。なお、前記ガイド孔２１は、図３および図８に示されるように、押圧板２０の裏側に突出状に形成された４つのボス２１ａの前面に形成され、該ボス２１ａが前記切込孔４ａ，４ａと透孔４ｂ，４ｂを貫通する。
【００１２】
一方、ケース体３０は、図９および図１０に示したように、縦に２分割されたプラスチック製の分割ケース体３０ａ，３０ｂを合着して多数のビス３１を締着することにより組み立てられるもので、該ケース体３０の前面に形成される窓３２が前記開口２中に位置するようにし、前記小孔３ａ，３ａにビス３２ａを貫挿することにより、該ケース体３０が前記組付基板１の前記起立片３，３間に固設される。該ケース体３０の外壁面には前後方向に長いガイド溝３３ａ，３３ｂが形成されているとともに、軸受孔３４ａ，３４ｂがそれぞれ形成され、一方の分割ケース体３０ａの外側面にモータ３５がビス３６により固着され、該モータ３５の出力軸３５ａが該分割ケース体３０ａに形成された軸孔３５ｂから該ケース体３０内に突出し、該出力軸３５ａに歯車３７が止着される。
【００１３】
また、該ケース体３０の後壁部内面に軸固設用座体４０を固着し、該軸固設用座体４０に基端部を貫挿することにより、主ガイド軸４１を該ケース体３０内の中心部に先端が前記押圧板２０と相対するように固設する。一方、ハンマー体４３は中心部に該主ガイド軸４１が貫通する貫通孔４４を形成しているとともに、前面に前記押圧板２０と相対するハンマー部４５が形成され、さらに両側にガイド片４６ａ，４６ｂが形成され、該ガイド片４６ａ，４６ｂの下面に係合片４７ａ，４７ｂが形成されている。そして、該ガイド片４
６ａ，４６ｂは前記ガイド溝３３ａ，３３ｂに遊嵌される。このため該ハンマー体４３は、前記主ガイド軸４１および前記ガイド溝３３ａ，３３ｂにより、前後方向に摺動自在なるように支持される。また、コイル状のバネ４７を前記軸固設用座体４０と該ハンマー体４３との間に圧縮状態で配設することにより、該バネ４７の弾性により該ハンマー体４３を前向きに付勢している。なお、ハンマー部４５の前面には緩衝用のフェルト４８を貼付している。
【００１４】
また、回転軸５０の両端部を前記軸受孔３４ａ，３４ｂに貫挿することにより、該回転軸５０が前記主ガイド軸４１と直交するようにケース体３０内に配設される。そして該回転軸５０に、前記歯車３７と噛合する歯車５１、および前記係合片４７ａ，４７ｂと係合し得る爪車５２ａ，５２ｂが設けられ、歯車３７の回転が歯車５１に伝達され爪車５２ａ，５２ｂを図４に矢印で示した方向に回転させる。なお、該爪車５２ａ，５２ｂは、外周部の爪先をノコギリ波形に形成してなる。
【００１５】
このように構成した本発明に係る演出装置では、前記モータ３５が駆動され、歯車３７、歯車５１を介して爪車５２ａ，５２ｂが回転されると、該爪車５２ａ，５２ｂの爪先が前記係合片４７ａ，４７ｂに係合しハンマー体４３がバネ４７の弾性に抗し図３，図４に示したように主ガイド軸４１に沿って後方に移動する。そして、この状態からさらに該爪車５２ａ，５２ｂが回転することによりその係合が外れ、バネ４７の弾性によって加速されて該ハンマー体４３は主ガイド軸４１に沿って前方に高速で移動するため、図１１に示したように該ハンマー体４３が前記押圧板２０に衝突し、該押圧板２０を叩くように前動させ、空気室１０内の空気を衝撃的に加圧する。このため空気室１０内の空気が前記吐出口１２から瞬間的に高速で押し出される。なお、前記フェルト４８はハンマー体４３が押圧板２０を叩打する際に発生する騒音を低減する。また、前動した押圧板２０は前記小バネ２９の弾性により図３に示したように後方にすぐに復帰する。
【００１６】
こうして、爪車５２ａ，５２ｂが回転し、該爪車の爪先がハンマー体４３に連続的に係脱することから該ハンマー体４３が押圧板２０を叩打し、該押圧板２０が空気室１０内の空気を繰り返し衝撃的に加圧するため、空気室１０内の空気を前記吐出口１２から弾発的に押し出す。このように吐出口１２から衝撃的に押し出された空気は、遊技者の手などに当たると、その空気圧が遊技者の肌を瞬間的に加圧することから、空気砲に当たったような、今まで経験したことがない触感を遊技者が受ける。即ち、吐出口１２から瞬間的に空気の密なる層が吐出され、その空気粗密層が該吐出口１２から離れた所にまで伝播する。このためこれが遊技者に当たると、特有の触感が生じ、遊技者を楽しませるとともに、何ら危険性を伴うことなく遊技者を驚かせ、遊技者に強烈なインパクト与えることができる
。なお、この吐出のタイミングをパチンコ機等の遊技機の何らかの遊技状態と合致させることにより、遊技者に与えられるインパクトが一層大きくなり、その遊技機の遊技性が一層高められる。
【００１７】
このように本発明に係る遊技機用演出装置では、ハンマー体４３を押圧板２０に衝突させることにより空気室内の空気が衝撃的に加圧され、空気砲のような空気の粗密層を遠くまで到達させ遊技者に当たるようにすることで、従来のようなファンの回転によって送られる風とは異なり、遊技者に特有の強烈な感触を危険を伴うことなく安全に与えることができ、遊技機の遊技性を向上させる。
なお、このように構成した演出装置を図１２に破断線で示したようにパチンコ遊技機６０の両サイドに前記吐出口１２が少し内向きとなるように配設することにより遊技者の顔や耳に空気砲が当たるようにすることもできる。
また、空気室１０に香水を配設することにより、遊技中の遊技者にいい匂いが吹き掛けられるようにすることも可能である。
【００１８】
また、本発明に係る遊技機用演出装置では、押圧板２０の周縁部をダイヤフラム２５を張設することにより気密にして空気室１０を形成するとともに、該押圧板２０にハンマー体４３を衝突させるように構成し、ハンマー体４３が直接ダイヤフラム２５に当たらないようにしたので、該ダイヤフラム２５がハンマー体４３との衝突により損傷することなく、該ダイヤフラムの耐久性が確保され、装置として故障のない長寿命の製品が得られる。
また、ハンマー体４３を衝突させることにより押圧板２０を進退動させるものであるので、該ハンマー体４３を衝突させた直後の該押圧板２０の戻りが速く、そのために前記爪車５２ａ，５２ｂの回転速度を上げれば短い周期で空気砲が押し出され、高い演出効果が得られる。
【符号の説明】
【００１９】
１                組付基板
１０              空気室
１２              吐出口
２０              押圧板
２５              ダイヤフラム
３３ａ，３３ｂ    ガイド溝
３５              モータ
３７ａ，３７ｂ    歯車
４１              主ガイド軸
４３              ハンマー体
４６ａ，４６ｂ    ガイド片
４７ａ，４７ｂ    係合片
４７              バネ
５０              回転軸
５１              歯車
５２ａ，５２ｂ    爪車
【図１】
0006474993.tif 000002
【図２】
0006474993.tif 000003
【図３】
0006474993.tif 000004
【図４】
0006474993.tif 000005
【図５】
0006474993.tif 000006
【図６】
0006474993.tif 000007
【図７】
0006474993.tif 000008
【図８】
0006474993.tif 000009
【図９】
0006474993.tif 000010
【図１０】
0006474993.tif 000011
【図１１】
0006474993.tif 000012
【図１２】
0006474993.tif 000013